(57)【特許請求の範囲】
【請求項１】
缶の上面の開口部を密閉する密閉部と、
前記開口部を開封するように前記密閉部に作用可能なタブ部と、
前記缶に設けられる保護カバーと
を備え、
前記タブ部は、略Ｃ字状の開口を有して形成されており、
前記略Ｃ字状の前記開口は、前記タブ部及び前記密閉部に沿って延びる方向に交差する方向に開いており、
前記保護カバーは、
前記タブ部に係わり合うように設けられるタブ係合部と、
前記タブ係合部につながるカバー本体であって、前記開口部と前記缶の上部周側面に延びるように前記缶に設けられるカバー本体と
を備え、
前記タブ係合部を前記開口部側に引っ張ることで前記カバー本体の前記缶からの離脱が開始されるように、前記保護カバーは前記缶に設けられる、
缶。
【請求項２】
前記タブ係合部は、前記タブ部の前記開口を介して前記タブ部に係わり合うように設けられる、
請求項１に記載の缶。
【請求項３】
前記タブ係合部を前記タブ部から離脱させる第１方向は、前記カバー本体を前記缶から離脱させる第２方向と相反する、
請求項２に記載の缶。
【請求項４】
前記タブ係合部を前記タブ部から離脱させる第１方向は、前記カバー本体を前記缶から離脱させる第２方向と親和する、
請求項２に記載の缶。
【発明の詳細な説明】
【技術分野】
【０００１】
本発明は、飲料用等の缶の飲み口等の開口部を被覆するように構成された保護カバー及びそれを備えた缶に関する。
【背景技術】
【０００２】
従来、飲料用の缶の飲み口を衛生に保つように、その飲み口を被覆する保護カバーが提案されている。例えば、特許文献１が開示する保護カバー付き缶は、飲み口を密閉するプルトップ片とこのプルトップ片を押し込み飲み口を開封するタブ部とが設置されたプルトップ構造を備え、缶体上部に当該缶体上部から離脱可能に保護カバーが備えられている。
この保護カバーは、飲み口を被覆する飲み口被覆部と、この飲み口被覆部に連続して形成されてタブ部の外側端部に接合される舌片部と、飲み口被覆部に連続して形成されて缶体の上部側壁を覆う側壁部とを備えている。そして、この側壁部に開封片が備えられている。
使用の際には、開封片を引き上げ、この引き上げの力で、保護カバーの側壁部から飲み口被覆部を経て舌片部にまで保護カバーを剥離していく。そして、更に、この舌片部に連結されている上記タブ部の外側端部に対してこれを手前方向に立ち上げるように、保護カバーを引っ張る。これより、この保護カバーの引っ張りによって上記タブ部を立ち上げて、プルトップ片を開口しようとする。
【先行技術文献】
【特許文献】
【０００３】
【特許文献１】特開平１１−３０１６６８号公報
【発明の概要】
【発明が解決しようとする課題】
【０００４】
特許文献１の保護カバーでは、飲み口を衛生に保つことができるものの、タブ部を立ち上げてプルトップ片を開口するほどの力で保護カバーを引っ張ることで、その開口時に缶の保持が不安定になり、また、飲み口が急に勢いよく開かれる可能性がある。これにより、飲み口の開口時にその飲み口から缶内部の飲料が飛び出したり、飛散したりする虞がある。
本開示の技術は、飲料用等の缶において、飲み口などの開口部及びその周囲の衛生状態を好適に保つととともに、その開口部の開口のためにタブ部に適切に力を加えることを可能にし、飲み口の開口時にその飲み口から缶内部の飲料が飛び出したり、飛散したりする恐れの少ない缶、保護カバーを提供することを目的とする。
【課題を解決するための手段】
【０００５】
本開示の一態様は、缶の上面の開口部を密閉する密閉部と、前記開口部を開封するように前記密閉部に作用可能なタブ部と、前記缶に設けられる保護カバーとを備え、前記保護カバーは、前記タブ部に係わり合うように設けられるタブ係合部と、前記タブ係合部につながるカバー本体であって、前記開口部と前記缶の上部周側面に延びるように前記缶に設けられるカバー本体とを備え、前記タブ係合部を前記開口部側に引っ張ることで前記カバー本体の前記缶からの離脱が開始されるように、前記保護カバーは前記缶に設けられる、缶を提供する。
【０００６】
好ましくは、前記タブ部は略Ｃ字状の開口を有して形成されている。この場合、前記略Ｃ字状の前記開口は、前記タブ部及び前記密閉部に沿って延びる方向に交差する方向に開くとよい。そして、好ましくは、前記タブ係合部は、前記タブ部の前記開口を介して前記タブ部に係わり合うように設けられる。この場合、例えば、前記タブ係合部を前記タブ部から離脱させる第１方向は、前記カバー本体を前記缶から離脱させる第２方向と相反するとよい。あるいは、前記タブ係合部を前記タブ部から離脱させる第１方向は、前記カバー本体を前記缶から離脱させる第２方向と親和してもよい。
【０００７】
本開示の他の態様は、缶の上面の開口部を密閉する密閉部と、前記開口部を開封するように前記密閉部に作用可能なタブ部とを備えた缶に適用される保護カバーであって、前記タブ部に係わり合うように設けられるタブ係合部と、前記タブ係合部につながるカバー本体であって、前記開口部と前記缶の上部周側面に延びるように前記缶に設けられるカバー本体とを備え、前記タブ係合部を前記開口部側に引っ張ることで前記カバー本体の前記缶からの離脱が開始されるように、前記保護カバーは前記缶に設けられる、保護カバーを提供する。
【０００８】
好ましくは、上記他の態様において、前記タブ係合部は、前記カバー本体が前記缶に設けられている状態で、前記タブ部を操作可能に前記タブ部に係わり合うことができるように構成されている。
【０００９】
好ましくは、上記他の態様において、前記タブ部は環状の穴を有して形成される。この場合、前記タブ係合部は前記穴に係合するように設けられるとよい。
【００１０】
好ましくは、上記他の態様において、前記タブ部は略Ｃ字状の開口を有して形成される。この場合、前記タブ係合部は、前記タブ部の前記開口を介して前記タブ部に係わり合うように設けられるとよい。このとき、前記タブ係合部を前記タブ部から離脱させる第１方向は、前記カバー本体を前記缶から離脱させる第２方向と相反するとよい。あるいは、このとき、前記タブ係合部を前記タブ部から離脱させる第１方向は、前記カバー本体を前記缶から離脱させる第２方向と親和してもよい。
【発明の効果】
【００１１】
本開示の上記態様によれば、飲料用等の缶において、飲み口などの開口部及びその周囲の衛生状態を好適に保つことが可能になるとともに、その開口部の開口のためにタブ部に適切に力を加えることができる。
【図面の簡単な説明】
【００１２】
【図１】第１の実施形態に係る、保護カバー付き缶を示す図である。
【図２】図１の状態の缶の開口部の開封を示す図である。
【図３】図１の保護カバーを缶から取り外すところを示す図である。
【図４】第２の実施形態に係る、保護カバー付き缶を示す図である。
【図５】第３の実施形態に係る、保護カバー付き缶を示す図である。
【図６】図５の保護カバーを缶から取り外すところを示す図である。
【発明を実施するための形態】
【００１３】
以下、本開示に係る実施形態を添付図に基づいて説明する。同一の部品（又は構成）には同一の符号を付してあり、それらの名称及び機能も同じである。したがって、それらについての詳細な説明は繰返さない。
【００１４】
本開示の第１の実施形態に係る、保護カバー１０を適用した缶１２つまり保護カバー１０付き缶１２を図１に示す。缶１２は、飲料用の缶であるが、他の用途のものであってもよい。缶１２は、上面１４を含む両端面と、それらの間に延在する円筒状の周側面１６とを有する。両端面のうちの一方が上面１４であり、もう一方は不図示の下面である。なお、飲み口等となる開口部１８が形成された端面を、ここでは、上面１４とする。
【００１５】
缶１２の上面１４には、開口部１８が設けられている。そして、上面１４には、開口部１８を密閉する密閉部であるプルトップ片２０と、開口部１８を開封するようにプルトップ片２０に作用可能なタブ部２２とが設けられている。タブ部２２は、プルトップ片２０を押し込み、それによって開口部１８を開封する形式のものである。プルトップ片２０は上面１４つまり缶１２の上蓋に切り欠きを入れることで形成されている。そして、そのプルトップ片２０に対して、機械的接続手段の一種であるリベットでタブ部２２は取り付けられている。このように、缶１２は、開口部１８の開口の際にもタブ部２２が缶１２に残ったままで切り離されない形式、つまりステイオンタブ式を採用する。しかし、缶１２は、開口部１８の開口の際にタブ部２２が上面１４の一部つまり密閉部とともに缶１２から切り離される形式、つまりプルタブ式を採用してもよい。なお、ここでは、タブ部２２は、環状の穴２４を有して形成されている。
【００１６】
さて、この缶１２に対して、保護カバー１０が離脱可能に設けられている。保護カバー１０は、タブ部２２に係わり合うように設けられるタブ係合部３０と、このタブ係合部３０につながるカバー本体３２とを備える。
【００１７】
タブ係合部３０は、ここでは、帯状又はひも状の部材である。図１では、タブ部２２の環状の穴２４に係合するように、換言すると、その穴２４を通過するように、タブ係合部３０は設けられている。
【００１８】
図１に示すように、カバー本体３２は、缶１２の開口部１８と缶１２の上部周側面（周側面１６の上面１４側の部分）に延びるように缶１２に設けられている。特にここでは、カバー本体３２は、開口部１８と上面１４の周縁部とを覆う上カバー部３２ａと、周側面１６のうちの上面１４側の部分つまり上部周側面を覆うサイドカバー部３２ｂとを有している。上カバー部３２ａは、図１に示すように、タブ部２２を露出させるように形作られている。具体的には、上カバー部３２ａは、タブ部２２の露出を許容する穴部３２ｃを有するように形成されている。
【００１９】
そして、カバー本体３２には、上記タブ係合部３０がタブ部２２及びプルトップ片２０に沿って延びるように設けられている。タブ係合部３０のうちのカバー本体３２から延出する部分３０ａは、上述のようにタブ部２２の穴２４を通過するように配置される。タブ係合部３０のうちのカバー本体３２と一体的に統合された部分３０ｂは、カバー本体３２の上カバー部３２ａからサイドカバー部３２ｂにまで延びる。このタブ係合部３０に沿ってカバー本体３２には、切れ目３４が設けられている。
【００２０】
タブ係合部３０は、プラスチック樹脂、セロファン、紙材など種々の材料から作製され得る。カバー本体３２も、プラスチック樹脂、セロファン、紙材など種々の材料から作製され得る。好ましくは、カバー本体３２は、図１に示すように缶１２に取り付けられているとき、缶１２の表面にほぼ密着するような素材で作製されるとよい。また、カバー本体３２は、所定の方向に裂ける素材で作製されるとよい。この場合、カバー本体３２に上記切れ目３４は設けられずに、タブ係合部３０をタブ部２２側から開口部１８側に、換言するとカバー本体３２側に引っ張ることでカバー本体３２がタブ係合部３０に沿って裂けてもよい。更にこの場合、タブ係合部３０はカバー本体３２から延出する部分３０ａのみから構成されてもよい。
ここでタブ係合部３０の端部は、輪状に形成されていることが望ましい。輪状に形成されていることにより、この輪の中に指を引っ掛けることができるので、タブ係合部３０を引っ張ることが容易になる。特に、目の不自由な人にとっては、容易に引っ張ることができるので、大変好ましいものとなる。
なお、図１の状態において、カバー本体３２のサイドカバー部３２ｂは接着剤等の化学的接合手段で缶１２の上部周側面にある程度密着しているとよい。このとき、カバー本体３２の上カバー部３２ａも、同様に化学的接合手段で缶１２の上面１４にある程度密着していてもよい。ただし、開口部１８およびその周囲については、つまり、ユーザが口をつける可能性の高い缶１２の領域については、そのような化学的接合手段は用いられないとよい。
【００２１】
上記構成の保護カバー１０の缶１２からの離脱つまり取り外しについて、缶１２の開口部１８の開封作業とともに、図１〜図３に基づいて説明する。
【００２２】
図１では、開口部１８が密閉された缶１２に、保護カバー１０が設けられている。図１の状態で、タブ部２２は、保護カバー１０から露出していて、そこの穴２４にタブ係合部３０が係合している。つまり、タブ係合部３０は、カバー本体３２が缶１２に設けられている状態で、タブ部２２を操作可能にタブ部２２に係わり合う。したがって、ユーザは、図１の状態で、タブ部２２を起こすことができ、よって開口部１８を開封することができる。この開封作業において、ユーザは穴２４を通過したタブ係合部３０の一端をつまんでわずかに上方に引っ張ることで、タブ部２２を軽く起こすことができる。そして、その流れに連続して、ユーザは、タブ部２２を更に起こし、缶１２の開口部１８の開封を行うことができる。開口部１８が開封された状態を、図２に示す。
このとき、上述したようにタブ係合部３０の端部が輪状に形成されていることにより、この輪に指を引っ掛けて引っ張ることができるので、タブ部２２を起こすための力をより簡単に強く加えることができる。特に目の不自由な人にとっては、簡単に力を加えることができるので、便利なものとなる。
【００２３】
図３に示すように、開口部１８を開けた後、ユーザは、タブ係合部３０をタブ部２２の穴２４から外し、タブ係合部３０を開口部１８側に引っ張る（図３の矢印Ａ１参照）。これにより、ユーザは、カバー本体３２を切れ目３４に沿って裂くことができ、カバー本体３２を缶１２から取り除く作業を進めることができる。このように、タブ係合部３０をタブ部２２側から開口部１８側に引っ張ることでカバー本体３２の缶１２からの離脱が開始されるように、保護カバー１０は缶１２に設けられている。したがって、タブ係合部３０をタブ部２２の穴２４から外す作業に概ね連続して、ユーザは容易に保護カバー１０を缶１２から離脱させる作業を行うことができる。
【００２４】
タブ係合部３０を開口部１８側に引っ張ることでカバー本体３２の缶１２からの離脱が開始された後、ユーザは、タブ係合部３０の切れ目３４が入っている側とは逆側（図３の矢印Ａ２側）にタブ係合部３０を引っ張る。これにより、缶１２からカバー本体３２を完全に取り除くことができる。
【００２５】
なお、上記説明の流れで保護カバー１０を缶１２から取り除いた後、缶１２の開口部１８の開封作業が行われてもよい。
【００２６】
以上述べたように、上記保護カバー１０によれば、缶１２において、飲み口として機能し得る開口部１８及びその周囲の衛生状態を好適に保つことができる。そして、保護カバー１０によれば、上記のごとくタブ係合部３０が設けられるので、缶１２の開口部１８の開口のためにタブ部２２に適切に力を加えることが可能になる。
【００２７】
特に、この保護カバー１０は、図１に示すように缶１２に取り付けられているとき、継続して缶１２の開口部１８の衛生状態を好適な状態に保つことができる。したがって、例えば、ユーザは、保護カバー付き缶１２をある人から直接的にもらったときであっても、その場で、その人の前で、飲み口つまり開口部１８を拭くという失礼にも値し得る行いをすることなく、開口部１８を開けて缶１２に直接的に口をつけることができる。これは、飲み口が汚れているかどうか視覚により確認することができない視覚障害者等にとっても便利であり、衛生面で、保護カバー１０は非常に優れた効果をもたらし得る。
【００２８】
また、上記保護カバー１０によれば、開封作業開始時に、タブ係合部３０を引っ張ることで、タブ部２２を浮かせることができる。したがって、ユーザは、手の指の爪先でなく指先をタブ部２２に容易にひっかけることが可能になる。よって、缶１２の開口部１８の開封を容易に行うことが可能になる。これは、手の指の爪にデコレーションを施しているユーザには、特に有効である。
【００２９】
次に、本開示の第２の実施形態を説明する。第２の実施形態の保護カバー付き缶において、保護カバー１０は上記保護カバー１０そのものであるが、缶１２Ａは上記缶１２と異なる構成を備える。以下では、保護カバー１０付き缶１２Ａにおける、上記第１の実施形態の保護カバー１０付き缶１２との相違点及びそれによる効果を主に説明する。
【００３０】
第１の実施形態の保護カバー１０付き缶１２において、タブ部２２は、環状の穴２４を有して形成されていた。しかし、第２の実施形態の保護カバー１０付き缶１２Ａにおけるタブ部２２は、穴２４の代わりに、略Ｃ字状の開口２４Ａを有して形成されている。図４から明らかなように、略Ｃ字状の開口２４Ａは、タブ部２２及びプルトップ片２０に沿って延びる方向に交差する方向に、特にここでは直交する方向に開いている。なお、缶１２Ａは、略Ｃ字状の開口２４Ａ以外、缶１２と同じ構成を有する。なお、第２の実施形態においても第１の実施形態と同様にタブ係合部３０の端部が輪状になっていることが好ましく、輪状になることによる効果も同様である。
【００３１】
図４に示すように、保護カバー１０付き缶１２Ａでは、タブ係合部３０は、タブ部２２の開口２４Ａを介してタブ部２２に係わり合うように設けられる。そして、タブ係合部３０をタブ部２２から離脱させる方向（以下、第１方向）Ａ３が、カバー本体３２を缶１２Ａから離脱させる方向（以下、第２方向）Ａ４と相反するように、略Ｃ字状の開口２４Ａは設けられている。したがって、例えばユーザ等の意図しない行いでタブ係合部３０がタブ部２２から離脱したとしても、その勢いで、保護カバー１０全体が不意に缶１２Ａから外れることを防ぐことができる。
【００３２】
よって、ユーザは、図４の状態からタブ係合部３０の一端をつまんで上方に引っ張ることで、タブ部２２を起こし、更に上方に引っ張ることで、タブ部２２を更に起こして、缶１２Ａの開口部１８の開封を行うことができる。そして、そのままタブ係合部３０から指を離すこと無く、タブ係合部３０を第１方向Ａ３に動かして略Ｃ字状の開口２４Ａの切れ目からタブ係合部３０を抜き出すことに続けて、ユーザは、タブ係合部３０を切れ目３４に沿って動かして、更に第２方向Ａ４に動かすことで、保護カバー１０を缶１２Ａから容易に取り除くことができる。このように、ユーザはタブ係合部３０をつまんで連続して動かすことで、タブ係合部３０から指を離すこと無く、一つの連続した動作で保護カバー１０をより簡単に取り除くことができる。
【００３３】
ただし、本開示は、タブ係合部３０をタブ部２２から離脱させる第１方向Ａ３が、カバー本体３２を缶１２Ａから離脱させる第２方向と親和するように、略Ｃ字状の開口２４Ａが設けられることを排除するものではない。このときの第２方向は、図４の矢印Ａ４とは逆向きである。しかし、好ましくは、図４に示すように、タブ係合部３０をタブ部２２から離脱させる第１方向Ａ３は、カバー本体３２を缶１２Ａから離脱させる第２方向Ａ４と相反する。
また、上記及びこれ以降説明する略Ｃ字形状の開口２４Ａは、タブ係合部３０から指を離すこと無く開口２４Ａからタブ係合部３０を抜き出すことができる形状ならばどのような形状でも採用することができ、例えば、略コの字形状、略Ｅ字形状、略Ｆ字形状等を採用しても良い。
【００３４】
次に、本開示の第３の実施形態を説明する。以下では、第３の実施形態の保護カバー１１０付き缶１２Ａにおける保護カバー１１０の、上記第１の実施形態の保護カバー１０との相違点及びそれによる効果を主に説明する。なお、図５に示す第３の実施形態の保護カバー１１０付き缶１２Ａにおける缶１２Ａは、第２の実施形態で説明した缶１２Ａと同じく、略Ｃ字状の開口２４Ａを有するタブ部２２を備えている。
【００３５】
保護カバー１１０は、タブ係合部１３０と、カバー本体１３２とを有する。カバー本体１３２は、上記カバー本体３２と同じ材料で作製され、同じように化学的接合手段で缶１２Ａに取り付けられる。カバー本体１３２は、略Ｃ字状で、缶１２Ａの上面１４側の外形に沿うように立体的に形作られている。カバー本体１３２は、その第１端部１３２Ａ側から缶１２Ａに取り付けられ、その第１端部１３２Ａ上に他端の第２端部１３２Ｂが重なって貼り付くように、缶１２Ａに取り付けられる。このとき、図５に示すように、カバー本体１３２の部分１３２Ｃは、タブ部２２の略Ｃ字状の開口２４Ａに入るように、つまり、その開口２４Ａを介してタブ部２２に係わり合うようになる。この部分１３２Ｃがタブ係合部１３０に相当する。なお、タブ係合部１３０は、この部分１３２Ｃから第２端部１３２Ｂ側の領域とみなされてもよい。
【００３６】
図５に示すように保護カバー１１０が缶１２Ａに取り付けられているとき、開口部１８及びその周囲はカバー本体１３２でしっかりと覆われる。したがって、開口部１８等の衛生状態を好適に保つことができる。よって、視覚障害者等を含むユーザは、種々の場面で、以下に示すように保護カバー１１０を単に取り除くことだけで、飲み口つまり開口部１８を拭かずに、缶１２Ａに安心して口をつけることができる。
【００３７】
保護カバー１１０では、カバー本体１３２の第２端部１３２Ｂにつまみ部１３４が設けられている。このつまみ部１３４は、ユーザのつまみ易さを考慮して設けられていて、第１端部１３２Ａ上に貼り付かないとよい。なお、つまみ部１３４は省くことが可能である。
【００３８】
保護カバー１１０の取り外し及び缶１２Ａの開封作業について図５及び図６に基づいて説明する。
【００３９】
ユーザは、保護カバー１１０のつまみ部１３４をつまみ、カバー本体１３２の第２端部１３２Ｂから部分１３２Ｃまでを、つまりタブ係合部１３０を開口部１８側に引っ張ることで、他の部分、例えば、缶１２Ａや第１端部１３２Ａから剥離させる。この過程で、ユーザは、図６に矢印Ａ５で示すようにタブ係合部１３０を動かして、タブ部２２を浮かせることができる。よって、ユーザは、タブ部２２を容易につかみ、缶１２Ａの開口部１８を開封することができる。あるいは、ユーザは、図６の矢印Ａ５で示すようにタブ係合部１３０を動かして、タブ部２２を浮かせ、そこから更にタブ係合部１３０を上に動かすことにより、缶１２Ａの開口部１８を開封しても良い。
ここで、つまみ部１３４を第１の実施形態と同様に輪状することにより、第１の実施形態と同様の効果を得ることができる。即ち、この輪に指を引っ掛けて引っ張ることができるので力を加えやすく、特に目の不自由な人にとって便利となる。
【００４０】
そして、ユーザは、更に、図６に示すように、タブ係合部１３０をタブ部２２から離脱させる第１方向Ａ６にかつ開口部１８側にタブ係合部１３０を引っ張り動かす。これにより、保護カバー１１０のカバー本体１３２の缶１２Ａからの離脱つまり取り外しは開始され、図６から理解できるようにそれに滑らかに連続してカバー本体１３２が取り除かれる。これは、まず第１に、タブ係合部１３０を開口部１８側に引っ張ることでカバー本体１３２の缶１２Ａからの離脱が開始されるように、保護カバー１１０は缶１２Ａに設けられているからである。また、それは、保護カバー１１０では、タブ係合部１３０をタブ部２２から離脱させる第１方向Ａ６が、カバー本体１３２を缶１２Ａから離脱させる第２方向Ａ７と親和するように、タブ部２２の開口２４Ａが形作られて設けられているからである。このように、ユーザは、好ましくは開口部１８の開封作業に続けて、タブ係合部１３０を連続して動かすことで、保護カバー１１０を簡単に缶１２Ａから取り除くことができる。
【００４１】
なお、第３の実施形態の保護カバー１１０でも、矛盾しない範囲で、上記保護カバー１０に関して述べたのと同様の変更が可能である。
【００４２】
以上、本開示の実施形態等について説明したが、それらは種々の変更が可能である。本願の特許請求の範囲によって定義される本開示の精神及び範囲から逸脱しない限り、種々の置換、変更が可能である。
【００４３】
例えば、上記缶１２Ａのタブ部２２の略Ｃ字状の開口２４Ａの向きは、一例である。つまり、タブ部２２の略Ｃ字状の開口２４Ａの向きは、図４、図５、図６に示す向きとは逆であってもよい。その開口の向きを逆にする場合、カバー本体３２、１３２をはがす向きも逆になるとよい。
また、上述した第１実施形態、第２実施形態のタブ係合部３０の端部に形成した輪状の部分や、第３実施形態つまみ部１３４の端部に形成した輪状の部分の代わりに指で持ちやすいもの、例えば、棒状体、板状体の個片を取り付けても良い。これにより、これら棒状体、板状体は帯状、紐状のものよりも持ちやすいので、引っ張るときに力を入れても指から離れにくく便利である。
特に、厚みのある個片は、目の不自由な人でも手探りで個片を探しやすく、引っ張りやすいので便利である。よって、個片は、目の不自由な人でも探しやすく、持ちやすいものであれば望ましいので、様々な形状のものを採用することができるが、例えば、人形のような形状、動物（海の生物も含む）のような形状、自動車等の乗物のような形状、野菜や木、果物のような形状等にすることができる。このように個片を個性的な形状にすることにより、探しやすく持ちやすいだけで無く、個性的な形状そのものに人気が出て需用者の購入意欲を喚起することができる。
【符号の説明】
【００４４】
１０、１１０  保護カバー
１２、１２Ａ  缶
１４  上面
１８  開口部
２０  プルトップ片（密閉部）
２２  タブ部
３０、１３０  タブ係合部
３２、１３２  カバー本体
【要約】
【課題】飲料用等の缶において、飲み口などの開口部及びその周囲の衛生状態を好適に保つとともに、その開口部の開口のためにタブ部に適切に力を加えることを可能にする構成を提供する。
【解決手段】本開示の一実施形態は、缶１２Ａの上面の開口部１８を密閉する密閉部と、前記開口部を開封するように前記密閉部に作用可能なタブ部２２と、前記缶に設けられる保護カバー１０とを備え、前記保護カバーは、前記タブ部に係わり合うように設けられるタブ係合部３０と、前記タブ係合部につながるカバー本体３２であって、前記開口部と前記缶の上部周側面に延びるように前記缶に設けられるカバー本体とを備え、前記タブ係合部を前記開口部側に引っ張ることで前記カバー本体の前記缶からの離脱が開始されるように、前記保護カバーは前記缶に設けられる、缶１２Ａを提供する。
【選択図】図４【図１】
0006812600.tif 000002
【図２】
0006812600.tif 000003
【図３】
0006812600.tif 000004
【図４】
0006812600.tif 000005
【図５】
0006812600.tif 000006
【図６】
0006812600.tif 000007